(57)【要約】【課題】ユーザが特別な情報登録操作を行わないでも、当該ユーザの興味の対象と合致する番組情報からなる特定ユーザ向け番組ガイド情報を生成することが可能な番組情報処理装置、サーバ装置及び番組情報提供システムを提供する。【解決手段】特定のユーザの携帯端末装置１０から、当該端末装置の利用履歴に関連する利用履歴情報６０を受信する利用履歴情報受信部３１を備える。受信した利用履歴情報６０に基づいて、ユーザの興味の対象を分析し、ユーザの興味の対象を示す特定ユーザ興味対象情報６１を生成する特定ユーザ興味対象分析部３２を備える。番組ガイド情報（一般ユーザ向け番組ガイド情報８０）に含まれる番組情報の中から、特定ユーザ興味対象情報６１と適合する番組情報を抽出し、抽出した番組情報を含む特定ユーザ向け番組ガイド情報９０を生成する特定ユーザ向け番組ガイド情報生成部４３を備える。【選択図】図１
2010206534.tif 000002
【特許請求の範囲】
【請求項１】
特定のユーザの端末装置から、当該端末装置の利用履歴に関連する利用履歴情報を受信する利用履歴情報受信手段と、
前記利用履歴情報受信手段により受信した当該端末装置の利用履歴情報に基づいて、前記特定のユーザの興味の対象を分析し、当該ユーザの興味の対象を示す特定ユーザ興味対象情報を生成する特定ユーザ興味対象分析手段と、
番組ガイド情報を記憶している番組ガイド情報記憶手段と、
前記番組ガイド情報記憶手段に記憶されている前記番組ガイド情報に含まれる番組情報の中から、前記特定ユーザ興味対象分析手段により生成された前記特定ユーザ興味対象情報と適合する番組情報を抽出し、該抽出した番組情報を含む特定ユーザ向け番組ガイド情報を生成する特定ユーザ向け番組ガイド情報生成手段と、
を備えることを特徴とする番組情報処理装置。
【請求項２】
前記特定ユーザ興味対象分析手段は、前記特定のユーザの前記利用履歴情報から、前記特定のユーザの興味の対象と関連するキーワードである特定ユーザ興味対象キーワードを前記特定ユーザ興味対象情報の少なくとも一部分として抽出し、
前記特定ユーザ向け番組ガイド情報生成手段は、前記特定ユーザ興味対象分析手段により抽出された前記特定ユーザ興味対象キーワードと適合する番組情報を、前記番組ガイド情報の中から抽出することを特徴とする請求項１に記載の番組情報処理装置。
【請求項３】
前記特定ユーザ興味対象キーワードの抽出の際に前記利用履歴情報との照合に用いられる照合用キーワードのリストを記憶している照合用キーワードリスト記憶手段を更に備え、
前記特定ユーザ興味対象分析手段は、前記利用履歴情報から、前記照合用キーワードリスト記憶手段に記憶されている照合用キーワードと適合するキーワードを、前記特定ユーザ興味対象キーワードとして抽出することを特徴とする請求項２に記載の番組情報処理装置。
【請求項４】
前記特定ユーザ向け番組ガイド情報生成手段は、
少なくとも、
前記特定ユーザ興味対象キーワードと、
前記番組ガイド情報に含まれる番組情報内の情報のうち、出演者名、趣味又は嗜好の名称、地名、及び番組のジャンル名のうちの少なくとも何れか１つであるキーワードと、
を照合することにより、
前記特定ユーザ興味対象キーワードと適合する番組情報を抽出することを特徴とする請求項２又は３に記載の番組情報処理装置。
【請求項５】
前記特定ユーザ興味対象分析手段は、前記特定のユーザの興味の対象と関連するキーワードであるとの判定を所定基準以上の回数又は頻度で行ったキーワードのみを、前記特定のユーザの前記利用履歴情報から前記特定ユーザ興味対象キーワードとして抽出することを特徴とする請求項２乃至４の何れか一項に記載の番組情報処理装置。
【請求項６】
前記特定ユーザ向け番組情報生成手段は、過去所定時間内に前記端末装置から送信された前記利用履歴情報に基づく前記特定ユーザ興味対象情報のみを用いて、前記特定ユーザ向け番組ガイド情報を生成することを特徴とする請求項１乃至５の何れか一項に記載の番組情報処理装置。
【請求項７】
前記利用履歴情報には、
前記端末装置が送受信した電子メール、
前記端末装置での番組の視聴履歴を示す視聴履歴情報、
前記端末装置を用いた決済履歴を示す決済履歴情報、
前記端末装置でのＷｅｂ利用履歴を示すＷｅｂ利用履歴情報、
前記端末装置に登録されている予定表情報、
前記端末装置に記憶されている日記情報、
前記端末装置に記憶されているメモ情報、
前記端末装置に記憶されている画像情報、
前記端末装置に記憶されている動画情報、
のうちの少なくとも何れか１つが含まれることを特徴とする請求項１乃至６の何れか一項に記載の番組情報処理装置。
【請求項８】
前記端末装置は携帯端末装置であり、
前記利用履歴情報には、更に、前記携帯端末の移動履歴を示す移動履歴情報が含まれることを特徴とする請求項７に記載の番組情報処理装置。
【請求項９】
前記端末装置は携帯端末装置であり、
前記番組ガイド情報は、前記設置型視聴装置用の番組ガイド情報よりも個々の番組情報の情報量が少ない携帯端末装置向け番組ガイド情報であることを特徴とする請求項１乃至８の何れか一項に記載の番組情報処理装置。
【請求項１０】
前記端末装置は、前記利用履歴情報を記憶する記憶手段と、
前記記憶手段から前記利用履歴情報を抽出する利用履歴情報抽出手段と、
前記利用履歴情報抽出手段により抽出された前記利用履歴情報を当該番組情報処理装置に送信する利用履歴情報送信手段と、
を備えることを特徴とする請求項１乃至９の何れか一項に記載の番組情報処理装置。
【請求項１１】
前記特定ユーザ向け番組ガイド情報生成手段により生成された前記特定ユーザ向け番組ガイド情報を前記特定のユーザに提供する提供手段を更に備え、
前記提供手段は、
前記特定ユーザ向け番組ガイド情報を、前記端末装置、前記端末装置により指定された端末装置、又は、前記ユーザにより予め指定された端末装置のうち、少なくとも何れか１つの端末装置に送信する特定ユーザ向け番組ガイド情報送信手段と、
前記特定ユーザ向け番組ガイド情報を、前記特定ユーザに送付される記憶媒体に記憶させる特定ユーザ向け番組ガイド情報記憶手段と、
前記特定ユーザ向け番組ガイド情報を、媒体に印刷出力する特定ユーザ向け番組ガイド情報出力手段と、
のうちの少なくとも何れか１つを備えることを特徴とする請求項１乃至１０の何れか一項に記載の番組情報処理装置。
【請求項１２】
特定のユーザの端末装置から、当該端末装置の利用履歴に関連する利用履歴情報を受信する利用履歴情報受信手段と、
前記利用履歴情報受信手段により受信した当該端末装置の利用履歴情報に基づいて、前記特定のユーザの興味の対象を分析し、当該ユーザの興味の対象を示す特定ユーザ興味対象情報を生成する特定ユーザ興味対象分析手段と、
前記特定ユーザ興味対象分析手段により生成された前記特定ユーザ興味対象情報を、外部サーバ装置に送信する特定ユーザ興味対象情報送信手段と、
を備え、
前記外部サーバ装置は、番組ガイド情報を記憶している番組ガイド情報記憶手段と、前記特定ユーザ興味対象情報送信手段から前記特定ユーザ興味対象情報を受信する特定ユーザ興味対象情報受信手段と、前記番組ガイド情報記憶手段に記憶されている前記番組ガイド情報に含まれる番組情報の中から、前記特定ユーザ興味対象情報受信手段により受信した前記特定ユーザ興味対象情報と適合する番組情報を抽出し、該抽出した番組情報を含む特定ユーザ向け番組ガイド情報を生成する特定ユーザ向け番組ガイド情報生成手段と、を備えるものであることを特徴とするサーバ装置。
【請求項１３】
前記特定ユーザ興味対象分析手段は、前記特定のユーザの前記利用履歴情報から、前記特定のユーザの興味の対象と関連するキーワードである特定ユーザ興味対象キーワードを、前記特定ユーザ興味対象情報の少なくとも一部分として抽出することを特徴とする請求項１２に記載のサーバ装置。
【請求項１４】
前記特定ユーザ興味対象キーワードの抽出の際に前記利用履歴情報との照合に用いられる照合用キーワードのリストを記憶している照合用キーワードリスト記憶手段を更に備え、
前記特定ユーザ興味対象分析手段は、前記利用履歴情報から、前記照合用キーワードリスト記憶手段に記憶されている照合用キーワードと適合するキーワードを、前記特定ユーザ興味対象キーワードとして抽出することを特徴とする請求項１３に記載のサーバ装置。
【請求項１５】
前記特定ユーザ興味対象分析手段は、前記特定のユーザの興味の対象と関連するキーワードであるとの判定を所定基準以上の回数又は頻度で行ったキーワードのみを、前記特定のユーザの前記利用履歴情報から前記特定ユーザ興味対象キーワードとして抽出することを特徴とする請求項１３又は１４に記載のサーバ装置。
【請求項１６】
前記特定ユーザ興味対象情報送信手段は、過去所定時間内に前記端末装置から送信された前記利用履歴情報に基づく前記特定ユーザ興味対象情報のみを、前記外部サーバ装置に送信することを特徴とする請求項１２乃至１５の何れか一項に記載のサーバ装置。
【請求項１７】
第１及び第２サーバ装置を備え、
前記第１サーバ装置は、
特定のユーザの端末装置から、当該端末装置の利用履歴に関連する利用履歴情報を受信する利用履歴情報受信手段と、
前記利用履歴情報受信手段により受信した当該端末装置の利用履歴情報に基づいて、前記特定のユーザの興味の対象を分析し、当該ユーザの興味の対象を示す特定ユーザ興味対象情報を生成する特定ユーザ興味対象分析手段と、
前記特定ユーザ興味対象分析手段により生成された前記特定ユーザ興味対象情報を前記第２サーバに送信する特定ユーザ興味対象情報送信手段と、
を備え、
前記第２サーバ装置は、
番組ガイド情報を記憶している番組ガイド情報記憶手段と、
前記第１サーバ装置から前記特定ユーザ興味対象情報を受信する特定ユーザ興味対象情報受信手段と、
前記番組ガイド情報記憶手段に記憶されている前記番組ガイド情報に含まれる番組情報の中から、前記特定ユーザ興味対象情報受信手段により受信した前記特定ユーザ興味対象情報と適合する番組情報を抽出し、該抽出した番組情報を含む特定ユーザ向け番組ガイド情報を生成する特定ユーザ向け番組ガイド情報生成手段と、
を備えることを特徴とする番組情報処理システム。
【請求項１８】
前記第２サーバ装置は、
前記特定ユーザ向け番組ガイド情報生成手段により生成された前記特定ユーザ向け番組ガイド情報を前記特定のユーザに提供する提供手段を更に備え、
前記提供手段は、
前記特定ユーザ向け番組ガイド情報を、前記端末装置、前記端末装置により指定された第１指定端末装置、又は、前記ユーザにより予め指定された第２指定端末装置のうち、少なくとも何れか１つの端末装置に送信する特定ユーザ向け番組ガイド情報送信手段と、
前記特定ユーザ向け番組ガイド情報を、前記特定ユーザに送付される記憶媒体に記憶させる特定ユーザ向け番組ガイド情報記憶手段と、
前記特定ユーザ向け番組ガイド情報を、媒体に印刷出力する特定ユーザ向け番組ガイド情報出力手段と、
のうちの少なくとも何れか１つを備えることを特徴とする請求項１７に記載の番組情報処理システム。
【請求項１９】
前記第２サーバ装置は、
前記特定ユーザ向け番組ガイド情報生成手段により生成された前記特定ユーザ向け番組ガイド情報を前記第１サーバに送信する送信手段を備え、
前記第１サーバ装置は、
前記第２サーバ装置から送信された前記特定ユーザ向け番組ガイド情報を前記特定のユーザに提供する提供手段を更に備え、
前記提供手段は、
前記特定ユーザ向け番組ガイド情報を、前記端末装置、前記端末装置により指定された第１指定端末装置、又は、前記ユーザにより予め指定された第２指定端末装置のうち、少なくとも何れか１つの端末装置に送信する特定ユーザ向け番組ガイド情報送信手段と、
前記特定ユーザ向け番組ガイド情報を、前記特定ユーザに送付される記憶媒体に記憶させる特定ユーザ向け番組ガイド情報記憶手段と、
前記特定ユーザ向け番組ガイド情報を、媒体に印刷出力する特定ユーザ向け番組ガイド情報出力手段と、
のうちの少なくとも何れか１つを備えることを特徴とする請求項１７に記載の番組情報処理システム。
【請求項２０】
番組を視聴可能な設置型視聴装置を更に備え、
前記端末装置は、携帯端末装置であり、
前記提供手段は、前記特定ユーザ向け番組ガイド情報送信手段を備え、該特定ユーザ向け番組ガイド情報送信手段は、前記端末装置に前記特定ユーザ向け番組ガイド情報を送信し、
前記端末装置は、前記提供手段から受信した前記特定ユーザ向け番組ガイド情報を、前記設置型視聴装置に転送することを特徴とする請求項１８又は１９に記載の番組情報処理システム。
【請求項２１】
前記番組ガイド情報は、前記設置型視聴装置用の番組ガイド情報よりも個々の番組情報の情報量が少ない携帯端末装置向け番組ガイド情報であり、
前記設置型視聴装置は、前記端末装置から受信した前記特定ユーザ向け番組ガイド情報に含まれる番組情報と対応する番組情報を、前記設置型視聴装置用の番組ガイド情報の中から抽出し、該抽出した番組情報を含む第２特定ユーザ向け番組ガイド情報を生成する第２特定ユーザ向け番組ガイド情報生成手段を備えることを特徴とする請求項２０に記載の番組情報処理システム。
【請求項２２】
特定のユーザの端末装置から、当該端末装置の利用履歴に関連する利用履歴情報を受信した場合に、該利用履歴情報に基づいて、前記特定のユーザの興味の対象を分析し、当該ユーザの興味の対象を示す特定ユーザ興味対象情報を生成する特定ユーザ興味対象分析処理と、
番組ガイド情報記憶手段に記憶されている番組ガイド情報に含まれる番組情報の中から、前記特定ユーザ興味対象分析処理により生成された前記特定ユーザ興味対象情報と適合する番組情報を抽出し、該抽出した番組情報を含む特定ユーザ向け番組ガイド情報を生成する特定ユーザ向け番組ガイド情報生成処理と、
をコンピュータに実行させることを特徴とするプログラム。
【請求項２３】
特定のユーザの端末装置から、当該端末装置の利用履歴に関連する利用履歴情報を受信した場合に、該利用履歴情報に基づいて、前記特定のユーザの興味の対象を分析し、当該ユーザの興味の対象を示す特定ユーザ興味対象情報を生成する特定ユーザ興味対象分析処理と、
前記特定ユーザ興味対象分析処理により生成された前記特定ユーザ興味対象情報を、外部サーバ装置に送信する特定ユーザ興味対象情報送信処理と、
をコンピュータに実行させ、
前記外部サーバ装置は、番組ガイド情報を記憶している番組ガイド情報記憶手段と、前記特定ユーザ興味対象情報を受信する特定ユーザ興味対象情報受信手段と、前記番組ガイド情報記憶手段に記憶されている前記番組ガイド情報に含まれる番組情報の中から、前記特定ユーザ興味対象情報受信手段により受信した前記特定ユーザ興味対象情報と適合する番組情報を抽出し、該抽出した番組情報を含む特定ユーザ向け番組ガイド情報を生成する特定ユーザ向け番組ガイド情報生成手段と、を備えるものであることを特徴とするプログラム。
【請求項２４】
番組情報処理装置が、
特定のユーザの端末装置から当該端末装置の利用履歴に関連する利用履歴情報を受信する利用履歴情報受信工程と、
前記利用履歴情報受信工程により受信した当該端末装置の利用履歴情報に基づいて、前記特定のユーザの興味の対象を分析し、当該ユーザの興味の対象を示す特定ユーザ興味対象情報を生成する特定ユーザ興味対象分析工程と、
番組ガイド情報記憶手段に記憶されている番組ガイド情報に含まれる番組情報の中から、前記特定ユーザ興味対象分析工程により生成された前記特定ユーザ興味対象情報と適合する番組情報を抽出し、該抽出した番組情報を含む特定ユーザ向け番組ガイド情報を生成する特定ユーザ向け番組ガイド情報生成工程と、
を行うことを特徴とする番組情報処理方法。
【請求項２５】
第１サーバ装置が、
特定のユーザの端末装置から当該端末装置の利用履歴に関連する利用履歴情報を受信する利用履歴情報受信工程と、
前記利用履歴情報受信工程により受信した当該端末装置の利用履歴情報に基づいて、前記特定のユーザの興味の対象を分析し、当該ユーザの興味の対象を示す特定ユーザ興味対象情報を生成する特定ユーザ興味対象分析工程と、
前記特定ユーザ興味対象分析工程により生成された前記特定ユーザ興味対象情報を、第２サーバ装置に送信する特定ユーザ興味対象情報送信工程と、
を行い、
前記第２サーバ装置が、
前記特定ユーザ興味対象情報を前記第１サーバ装置から受信する特定ユーザ興味対象情報受信工程と、
番組ガイド情報記憶手段に記憶されている番組ガイド情報に含まれる番組情報の中から、前記特定ユーザ興味対象情報受信工程により受信した前記特定ユーザ興味対象情報と適合する番組情報を抽出し、該抽出した番組情報を含む特定ユーザ向け番組ガイド情報を生成する特定ユーザ向け番組ガイド情報生成工程と、
を行うことを特徴とする番組情報処理方法。
【発明の詳細な説明】
【技術分野】
【０００１】
本発明は、番組情報処理装置、サーバ装置、番組情報処理システム、プログラム及び番組情報処理方法に関する。
【背景技術】
【０００２】
近年、テレビ番組の数は膨大な数となっている。視聴者は、視聴或いは録画する番組を選択する際には、この膨大な数の番組の情報を含む電子番組ガイド情報（ＥＰＧ（Ｅｌｅｃｔｒｏｎｉｃ  Ｐｒｏｇｒａｍ  Ｇｕｉｄｅ）情報）を参照することがある。
【０００３】
しかし、電子番組ガイド情報には、膨大な数の番組の情報が含まれているため、この中から所望の番組を選択するには、多くの時間を要したり、選択操作に多くの手間がかかったりする。
【０００４】
このような課題に鑑みなされた技術としては、特許文献１の技術がある。
【０００５】
特許文献１の技術では、番組ガイド情報と、ユーザの嗜好を示す嗜好情報と、を予め記憶しておき、番組ガイド情報の中からユーザの嗜好に合致する番組を検索し、この検索された番組からなる検索番組ガイド情報をユーザに提供する。ユーザの嗜好情報の登録は、ユーザが登録操作を行うことにより行われる。
【先行技術文献】
【特許文献】
【０００６】
【特許文献１】特開２００８−２９５１０５号公報
【発明の概要】
【発明が解決しようとする課題】
【０００７】
しかしながら、特許文献１の技術では、ユーザが嗜好情報を登録する操作を行わないと、ユーザの嗜好に合致する番組からなる検索番組ガイド情報が生成されないという課題がある。
【０００８】
本発明は、上述のような課題を解決する、或いは、その解決を支援する番組情報処理装置、サーバ装置、番組情報処理システム、プログラム及び番組情報処理方法を提供することを目的とする。
【課題を解決するための手段】
【０００９】
本発明は、特定のユーザの端末装置から、当該端末装置の利用履歴に関連する利用履歴情報を受信する利用履歴情報受信手段と、前記利用履歴情報受信手段により受信した当該端末装置の利用履歴情報に基づいて、前記特定のユーザの興味の対象を分析し、当該ユーザの興味の対象を示す特定ユーザ興味対象情報を生成する特定ユーザ興味対象分析手段と、番組ガイド情報を記憶している番組ガイド情報記憶手段と、前記番組ガイド情報記憶手段に記憶されている前記番組ガイド情報に含まれる番組情報の中から、前記特定ユーザ興味対象分析手段により生成された前記特定ユーザ興味対象情報と適合する番組情報を抽出し、該抽出した番組情報を含む特定ユーザ向け番組ガイド情報を生成する特定ユーザ向け番組ガイド情報生成手段と、を備えることを特徴とする番組情報処理装置を提供する。
【００１０】
また、本発明は、特定のユーザの端末装置から、当該端末装置の利用履歴に関連する利用履歴情報を受信する利用履歴情報受信手段と、前記利用履歴情報受信手段により受信した当該端末装置の利用履歴情報に基づいて、前記特定のユーザの興味の対象を分析し、当該ユーザの興味の対象を示す特定ユーザ興味対象情報を生成する特定ユーザ興味対象分析手段と、前記特定ユーザ興味対象分析手段により生成された前記特定ユーザ興味対象情報を、外部サーバ装置に送信する特定ユーザ興味対象情報送信手段と、を備え、前記外部サーバ装置は、番組ガイド情報を記憶している番組ガイド情報記憶手段と、前記特定ユーザ興味対象情報送信手段から前記特定ユーザ興味対象情報を受信する特定ユーザ興味対象情報受信手段と、前記番組ガイド情報記憶手段に記憶されている前記番組ガイド情報に含まれる番組情報の中から、前記特定ユーザ興味対象情報受信手段により受信した前記特定ユーザ興味対象情報と適合する番組情報を抽出し、該抽出した番組情報を含む特定ユーザ向け番組ガイド情報を生成する特定ユーザ向け番組ガイド情報生成手段と、を備えることを特徴とするサーバ装置を提供する。
【００１１】
また、本発明は、第１及び第２サーバ装置を備え、前記第１サーバ装置は、特定のユーザの端末装置から、当該端末装置の利用履歴に関連する利用履歴情報を受信する利用履歴情報受信手段と、前記利用履歴情報受信手段により受信した当該端末装置の利用履歴情報に基づいて、前記特定のユーザの興味の対象を分析し、当該ユーザの興味の対象を示す特定ユーザ興味対象情報を生成する特定ユーザ興味対象分析手段と、前記特定ユーザ興味対象分析手段により生成された前記特定ユーザ興味対象情報を前記第２サーバに送信する特定ユーザ興味対象情報送信手段と、を備え、前記第２サーバ装置は、番組ガイド情報を記憶している番組ガイド情報記憶手段と、前記第１サーバ装置から前記特定ユーザ興味対象情報を受信する特定ユーザ興味対象情報受信手段と、前記番組ガイド情報記憶手段に記憶されている前記番組ガイド情報に含まれる番組情報の中から、前記特定ユーザ興味対象情報受信手段により受信した前記特定ユーザ興味対象情報と適合する番組情報を抽出し、該抽出した番組情報を含む特定ユーザ向け番組ガイド情報を生成する特定ユーザ向け番組ガイド情報生成手段と、を備えることを特徴とする番組情報処理システムを提供する。
【００１２】
また、本発明は、特定のユーザの端末装置から、当該端末装置の利用履歴に関連する利用履歴情報を受信した場合に、該利用履歴情報に基づいて、前記特定のユーザの興味の対象を分析し、当該ユーザの興味の対象を示す特定ユーザ興味対象情報を生成する特定ユーザ興味対象分析処理と、番組ガイド情報記憶手段に記憶されている番組ガイド情報に含まれる番組情報の中から、前記特定ユーザ興味対象分析処理により生成された前記特定ユーザ興味対象情報と適合する番組情報を抽出し、該抽出した番組情報を含む特定ユーザ向け番組ガイド情報を生成する特定ユーザ向け番組ガイド情報生成処理と、をコンピュータに実行させることを特徴とするプログラムを提供する。
【００１３】
また、本発明は、特定のユーザの端末装置から、当該端末装置の利用履歴に関連する利用履歴情報を受信した場合に、該利用履歴情報に基づいて、前記特定のユーザの興味の対象を分析し、当該ユーザの興味の対象を示す特定ユーザ興味対象情報を生成する特定ユーザ興味対象分析処理と、前記特定ユーザ興味対象分析処理により生成された前記特定ユーザ興味対象情報を、外部サーバ装置に送信する特定ユーザ興味対象情報送信処理と、をコンピュータに実行させ、前記外部サーバ装置は、番組ガイド情報を記憶している番組ガイド情報記憶手段と、前記特定ユーザ興味対象情報を受信する特定ユーザ興味対象情報受信手段と、前記番組ガイド情報記憶手段に記憶されている前記番組ガイド情報に含まれる番組情報の中から、前記特定ユーザ興味対象情報受信手段により受信した前記特定ユーザ興味対象情報と適合する番組情報を抽出し、該抽出した番組情報を含む特定ユーザ向け番組ガイド情報を生成する特定ユーザ向け番組ガイド情報生成手段と、を備えることを特徴とするプログラムを提供する。
【００１４】
また、本発明は、番組情報処理装置が、特定のユーザの端末装置から当該端末装置の利用履歴に関連する利用履歴情報を受信する利用履歴情報受信工程と、前記利用履歴情報受信工程により受信した当該端末装置の利用履歴情報に基づいて、前記特定のユーザの興味の対象を分析し、当該ユーザの興味の対象を示す特定ユーザ興味対象情報を生成する特定ユーザ興味対象分析工程と、番組ガイド情報記憶手段に記憶されている番組ガイド情報に含まれる番組情報の中から、前記特定ユーザ興味対象分析工程により生成された前記特定ユーザ興味対象情報と適合する番組情報を抽出し、該抽出した番組情報を含む特定ユーザ向け番組ガイド情報を生成する特定ユーザ向け番組ガイド情報生成工程と、を行うことを特徴とする番組情報処理方法を提供する。
【００１５】
また、本発明は、第１サーバ装置が、特定のユーザの端末装置から当該端末装置の利用履歴に関連する利用履歴情報を受信する利用履歴情報受信工程と、前記利用履歴情報受信工程により受信した当該端末装置の利用履歴情報に基づいて、前記特定のユーザの興味の対象を分析し、当該ユーザの興味の対象を示す特定ユーザ興味対象情報を生成する特定ユーザ興味対象分析工程と、前記特定ユーザ興味対象分析手段により生成された前記特定ユーザ興味対象情報を、第２サーバ装置に送信する特定ユーザ興味対象情報送信工程と、を行い、前記第２サーバ装置が、前記特定ユーザ興味対象情報を前記第１サーバ装置から受信する特定ユーザ興味対象情報受信工程と、番組ガイド情報記憶手段に記憶されている番組ガイド情報に含まれる番組情報の中から、前記特定ユーザ興味対象情報受信工程により受信した前記特定ユーザ興味対象情報と適合する番組情報を抽出し、該抽出した番組情報を含む特定ユーザ向け番組ガイド情報を生成する特定ユーザ向け番組ガイド情報生成工程と、を行うことを特徴とする番組情報処理方法を提供する。
【発明の効果】
【００１６】
本発明によれば、ユーザが自身の興味の対象を示す情報の登録操作を行わないでも、当該ユーザの興味の対象と合致する番組情報からなる特定ユーザ向け番組ガイド情報を生成することができる。
【図面の簡単な説明】
【００１７】
【図１】第１の実施形態に係る番組情報処理システムの構成を示すブロック図である。
【図２】第１の実施形態に係る携帯端末装置の構成を示すブロック図である。
【図３】利用履歴情報の例を示す図である。
【図４】照合用キーワードリストの例を示す図である。
【図５】特定ユーザ興味対象情報の例を示す図である。
【図６】一般ユーザ向け番組ガイド情報の概略を示す図である。
【図７】番組情報の一例を示す図である。
【図８】特定ユーザ向け番組ガイド情報の概略を示す図である。
【図９】第１の実施形態に係る番組情報処理システムの動作の流れを示すシーケンス図である。
【図１０】第２の実施形態に係る番組情報処理システムの構成を示すブロック図である。
【図１１】第２の実施形態に係る番組情報処理システムの動作の流れを示すシーケンス図である。
【図１２】第３の実施形態に係る番組情報処理装置の構成を示すブロック図である。
【図１３】第３の実施形態に係る番組情報処理装置の動作の流れを示すシーケンス図である。
【図１４】第４の実施形態に係る番組情報処理システムの構成を示すブロック図である。
【図１５】第４の実施形態に係る番組情報処理システムの動作の流れを示すシーケンス図である。
【発明を実施するための形態】
【００１８】
以下、本発明の実施形態について、図面を用いて説明する。なお、すべての図面において、同様の構成要素には同一の符号を付し、適宜に説明を省略する。
【００１９】
〔第１の実施形態〕
図１は実施形態に係る番組情報処理システム１００の構成を示すブロック図、図２は第１の実施形態に係る携帯端末装置の構成を示すブロック図、図３は利用履歴情報の例を示す図、図４は照合用キーワードリストの例を示す図、図５は特定ユーザ興味対象情報の例を示す図、図６は一般ユーザ向け番組ガイド情報の概略を示す図、図７は番組情報の一例を示す図、図８は特定ユーザ向け番組ガイド情報の概略を示す図、図９は第１の実施形態に係る番組情報処理システムの動作の流れを示すシーケンス図である。
【００２０】
本実施形態に係る番組情報処理システム１００は、特定ユーザ興味対象分析サーバ（第１サーバ装置）３０及び特定ユーザ向け番組ガイド情報サーバ４０（第２サーバ装置）を備え、特定ユーザ興味対象分析サーバ３０は、特定のユーザの携帯端末装置１０（端末装置）から、当該携帯端末装置１０の利用履歴に関連する利用履歴情報６０（図３）を受信する利用履歴情報受信部（利用履歴情報受信手段）３１と、利用履歴情報受信部３１により受信した当該端末装置の利用履歴情報６０に基づいて、特定のユーザの興味の対象を分析し、当該ユーザの興味の対象を示す特定ユーザ興味対象情報６１（図５）を生成する特定ユーザ興味対象分析部（特定ユーザ興味対象分析手段）３２と、特定ユーザ興味対象分析部３２により生成された特定ユーザ興味対象情報６１を第２サーバ（特定ユーザ向け番組ガイド情報サーバ４０）に送信する特定ユーザ興味対象情報送信部（特定ユーザ興味対象情報送信手段）３４と、を備え、第２サーバ装置は、一般ユーザ向け番組ガイド情報（番組ガイド情報）８０（図６）を記憶している一般ユーザ向け番組ガイド情報記憶部（番組ガイド情報記憶手段）４２と、特定ユーザ興味対象分析サーバ３０から特定ユーザ興味対象情報６１を受信する特定ユーザ興味対象情報受信部（特定ユーザ興味対象情報受信手段）４１と、一般ユーザ向け番組ガイド情報記憶部４２に記憶されている一般ユーザ向け番組ガイド情報８０に含まれる番組情報（第１番組情報８１、第２番組情報８２、第３番組情報８３・・（図６））の中から、特定ユーザ興味対象情報受信部（特定ユーザ興味対象情報受信手段）４１により受信した特定ユーザ興味対象情報６１と適合する番組情報（第Ｘ番組情報８４、第Ｙ番組情報８５、・・・（図７））を抽出し、該抽出した番組情報を含む特定ユーザ向け番組ガイド情報９０（図８）を生成する特定ユーザ向け番組ガイド情報生成部（特定ユーザ向け番組ガイド情報生成手段）４３と、を備える。
【００２１】
また、本実施形態に係る特定ユーザ興味対象分析サーバ（サーバ装置）３０は、特定のユーザの携帯端末装置（端末装置）１０から、当該携帯端末装置１０の利用履歴に関連する利用履歴情報６０（図３）を受信する利用履歴情報受信部（利用履歴情報受信手段）３１と、利用履歴情報受信部３１により受信した当該端末装置の利用履歴情報６０に基づいて、特定のユーザの興味の対象を分析し、当該ユーザの興味の対象を示す特定ユーザ興味対象情報６１（図５）を生成する特定ユーザ興味対象分析部（特定ユーザ興味対象分析手段）３２と、特定ユーザ興味対象分析部３２により生成された特定ユーザ興味対象情報６１を、特定ユーザ向け番組ガイド情報サーバ（外部サーバ装置）４０に送信する特定ユーザ興味対象情報送信部（特定ユーザ興味対象情報送信手段）３４と、を備える。ここで、特定ユーザ向け番組ガイド情報サーバ４０は、一般ユーザ向け番組ガイド情報（番組ガイド情報）８０（図６）を記憶している一般ユーザ向け番組ガイド情報記憶手段（番組ガイド情報記憶手段）４２と、特定ユーザ興味対象情報送信部（特定ユーザ興味対象情報送信手段）３４から特定ユーザ興味対象情報６１を受信する特定ユーザ興味対象情報受信部（特定ユーザ興味対象情報受信手段）４１と、一般ユーザ向け番組ガイド情報８０に記憶されている番組ガイド情報に含まれる番組情報（第１番組情報８１、第２番組情報８２、第３番組情報８３、・・・（図６））の中から、特定ユーザ興味対象情報受信部４１により受信した特定ユーザ興味対象情報６１と適合する番組情報（第Ｘ番組情報８４、第Ｙ番組情報８５、・・・（図７））を抽出し、該抽出した番組情報を含む特定ユーザ向け番組ガイド情報９０（図８）を生成する特定ユーザ向け番組ガイド情報生成部（特定ユーザ向け番組ガイド情報生成手段）４３と、を備えるものである。
【００２２】
また、本実施形態に係るプログラムは、特定のユーザの携帯端末装置１０（携帯端末）から、当該端末装置の利用履歴に関連する利用履歴情報６０（図３）を受信した場合に、該利用履歴情報６０に基づいて、特定のユーザの興味の対象を分析し、当該ユーザの興味の対象を示す特定ユーザ興味対象情報６１（図５）を生成する特定ユーザ興味対象分析処理と、特定ユーザ興味対象分析処理により生成された特定ユーザ興味対象情報６１を、特定ユーザ向け番組ガイド情報サーバ（外部サーバ装置）４０に送信する特定ユーザ興味対象情報送信処理とを、例えば特定ユーザ興味対象分析サーバ（第１サーバ）３０のコンピュータに実行させる。ここで、特定ユーザ向け番組ガイド情報サーバ４０は、一般ユーザ向け番組ガイド情報（番組ガイド情報）８０（図６）を記憶している一般ユーザ向け番組ガイド情報記憶部４２と、特定ユーザ興味対象情報６１を受信する特定ユーザ興味対象情報受信部４１と、一般ユーザ向け番組ガイド情報記憶部４２に記憶されている一般ユーザ向け番組ガイド情報８０に含まれる番組情報（第１番組情報８１、第２番組情報８２、第３番組情報８３、・・・（図６））の中から、特定ユーザ興味対象情報受信部４１により受信した特定ユーザ興味対象情報６１と適合する番組情報（第Ｘ番組情報８４、第Ｙ番組情報８５、・・・（図７））を抽出し、該抽出した番組情報を含む特定ユーザ向け番組ガイド情報９０（図８）を生成する特定ユーザ向け番組ガイド情報生成部（特定ユーザ向け番組ガイド情報生成手段）４３と、を備えるものである。
【００２３】
また、本実施形態に係る番組情報処理方法では、特定ユーザ興味対象分析サーバ（第１サーバ装置）３０が、特定のユーザの携帯端末装置（携帯端末）１０から当該携帯端末装置１０の利用履歴に関連する利用履歴情報６０（図３）を受信する利用履歴情報受信工程と、利用履歴情報受信工程により受信した当該携帯端末装置１０の利用履歴情報６０に基づいて、特定のユーザの興味の対象を分析し、当該ユーザの興味の対象を示す特定ユーザ興味対象情報６１（図５）を生成する特定ユーザ興味対象分析工程と、特定ユーザ興味対象分析工程により生成された特定ユーザ興味対象情報６１を、特定ユーザ向け番組ガイド情報サーバ（第２サーバ装置）４０に送信する特定ユーザ興味対象情報送信工程と、を行い、特定ユーザ向け番組ガイド情報サーバ４０が、特定ユーザ興味対象情報６１を特定ユーザ興味対象分析サーバ３０から受信する特定ユーザ興味対象情報受信工程と、一般ユーザ向け番組ガイド情報記憶部４２に記憶されている一般ユーザ向け番組ガイド情報（番組ガイド情報）８０（図６）に含まれる番組情報の中から、特定ユーザ興味対象情報受信工程により受信した特定ユーザ興味対象情報６１と適合する番組情報を抽出し、該抽出した番組情報を含む特定ユーザ向け番組ガイド情報９０（図８）を生成する特定ユーザ向け番組ガイド情報生成工程と、を行う。
【００２４】
以下、詳細に説明する。
【００２５】
先ず、番組情報処理システム１００の構成を説明する。
【００２６】
図１に示すように、本実施形態に係る番組情報処理システム１００は、例えば、携帯端末装置１０と、特定ユーザ興味対象分析サーバ３０と、特定ユーザ向け番組ガイド情報サーバ４０と、テレビ５０と、を備えて構成されている。
【００２７】
特定ユーザ興味対象分析サーバ３０は、例えば、通信事業者制御局８に設置されている。特定ユーザ向け番組ガイド情報サーバ４０は、例えば、番組ガイド情報配信事業運営会社９に設置されている。テレビ（設置型視聴装置）５０は、例えば、携帯端末装置１０のユーザの自宅に設置されている。
【００２８】
携帯端末装置１０は、特定のユーザに利用される携帯端末装置であり、記憶部（記憶手段）１と、利用履歴情報抽出部２と、利用履歴情報送信部３と、特定ユーザ向け番組ガイド情報受信部４と、表示部５と、特定ユーザ向け番組ガイド情報送信部６と、を備えている。
【００２９】
このうち記憶部１は、利用履歴情報６０（図３）を含む情報を記憶する。利用履歴情報抽出部２は、記憶部１から利用履歴情報６０を抽出する。利用履歴情報送信部３は、利用履歴情報抽出部２により抽出された利用履歴情報６０を特定ユーザ興味対象分析サーバ３０に送信する。特定ユーザ向け番組ガイド情報受信部４は、特定ユーザ向け番組ガイド情報９０（図８）を特定ユーザ向け番組ガイド情報サーバ４０から受信する。表示部５は各種の表示を行う。特定ユーザ向け番組ガイド情報送信部６は、特定ユーザ向け番組ガイド情報９０をテレビ５０に送信する。
【００３０】
特定ユーザ興味対象分析サーバ３０は、利用履歴情報受信部３１と、特定ユーザ興味対象分析部３２と、照合用キーワードリスト記憶部３３と、特定ユーザ興味対象情報送信部３４と、を備えている。
【００３１】
このうち利用履歴情報受信部３１は、携帯端末装置１０から、当該携帯端末装置１０の利用履歴情報６０を受信する。特定ユーザ興味対象分析部３２は、利用履歴情報受信部３１により受信した利用履歴情報６０に基づいて、携帯端末装置１０の利用者（特定のユーザ）の興味の対象を分析し、当該ユーザの興味の対象を示す特定ユーザ興味対象情報６１（図５）を生成する。照合用キーワードリスト記憶部３３は、後述する特定ユーザ興味対象キーワードの抽出の際に利用履歴情報６０との照合に用いられる照合用キーワードのリスト（例えば、図４に示す照合用キーワードリスト７０）を記憶している。特定ユーザ興味対象情報送信部３４は、特定ユーザ興味対象分析部３２により生成された特定ユーザ興味対象情報６１を特定ユーザ向け番組ガイド情報サーバ４０に送信する。
【００３２】
特定ユーザ向け番組ガイド情報サーバ４０は、特定ユーザ興味対象情報受信部４１と、一般ユーザ向け番組ガイド情報記憶部４２と、特定ユーザ向け番組ガイド情報生成部４３と、特定ユーザ向け番組ガイド情報送信部４４と、を備える。
【００３３】
このうち特定ユーザ興味対象情報受信部４１は、特定ユーザ興味対象分析サーバ３０から特定ユーザ興味対象情報６１を受信する。一般ユーザ向け番組ガイド情報記憶部４２は、一般ユーザ向け番組ガイド情報８０（図６）を記憶している。特定ユーザ向け番組ガイド情報生成部４３は、一般ユーザ向け番組ガイド情報記憶部４２に記憶されている一般ユーザ向け番組ガイド情報８０の中から、特定ユーザ興味対象情報受信部４１により受信した特定ユーザ興味対象情報６１と適合する番組情報（図７の第Ｘ番組情報８４、第Ｙ番組情報８５）を抽出し、該抽出した番組情報を含む特定ユーザ向け番組ガイド情報９０（図８）を生成する。特定ユーザ向け番組ガイド情報送信部４４は、特定ユーザ向け番組ガイド情報９０を携帯端末装置１０に送信する。
【００３４】
なお、番組ガイド情報配信事業運営会社９には、特定ユーザ向け番組ガイド情報サーバ４０の他に、例えば、一般ユーザ向け番組ガイド情報サーバ２５が設置されている。
【００３５】
この一般ユーザ向け番組ガイド情報サーバ２５は、一般ユーザ向け番組ガイド情報記憶部２６と、一般ユーザ向け番組ガイド情報送信部２７と、を備える。一般ユーザ向け番組ガイド情報記憶部２６は、一般ユーザ向け番組ガイド情報８０（図６）を記憶している。一般ユーザ向け番組ガイド情報送信部２７は、一般ユーザ向け番組ガイド情報記憶部２６に記憶されている一般ユーザ向け番組ガイド情報８０をテレビ５０などの設置型視聴装置に送信する。なお、携帯端末装置１０に対しても一般ユーザ向け番組ガイド情報送信部２７が一般ユーザ向け番組ガイド情報８０を送信するようにしても良い。
【００３６】
なお、特定ユーザ興味対象分析サーバ３０、特定ユーザ向け番組ガイド情報サーバ４０、及び、一般ユーザ向け番組ガイド情報サーバ２５は、例えば、ワークステーションサーバなどの情報処理装置である。これらサーバ３０、４０、２５は、例えば、ＣＰＵ（Ｃｅｎｔｒａｌ  Ｐｒｏｃｅｓｓｉｎｇ  Ｕｎｉｔ）と、このＣＰＵの動作用プログラム（プログラム）などを記憶したＲＯＭ（Ｒｅａｄ  Ｏｎｌｙ  Ｍｅｍｏｒｙ）と、ＣＰＵの作業領域などとして機能するＲＡＭ（Ｒａｎｄｏｍ  Ａｃｃｅｓｓ  Ｍｅｍｏｒｙ）と、通信機能部と、を備えて構成されている。
【００３７】
また、テレビ５０は、放送受信部４５と、表示部４６と、一般ユーザ向け番組ガイド情報受信部４７と、特定ユーザ向け番組ガイド情報受信部４８と、スピーカ２９と、を備える。
【００３８】
このうち放送受信部４５は、放送局（図示略）から送信される放送データを受信し、この放送データに所定の信号処理を施すことにより、画像信号及び音声信号を生成する。そして、このうち画像信号は表示部４６に、音声信号はスピーカ２９に、それぞれ出力する。表示部４６は、放送受信部４５から入力される画像信号に応じた表示を行う他、番組ガイド情報（一般ユーザ向け番組ガイド情報８０又は特定ユーザ向け番組ガイド情報９０）の表示を行う。スピーカは、放送受信部４５から入力される音声信号に応じた音声出力を行う。
【００３９】
一般ユーザ向け番組ガイド情報受信部４７は、一般ユーザ向け番組ガイド情報サーバ２５から一般ユーザ向け番組ガイド情報８０を受信する。特定ユーザ向け番組ガイド情報受信部４８は、特定ユーザ向け番組ガイド情報サーバ４０から特定ユーザ向け番組ガイド情報９０を受信する。
【００４０】
図２は携帯端末装置１０の構成を示すブロック図である。
【００４１】
携帯端末装置１０は、通信機能、ＴＶ放送受信機能及びその他の情報処理機能などを有している。図２に示すように、携帯端末装置１０は、例えば、無線通信部１１、放送受信部１２、ＧＰＳ機能部１３、カメラ部１４、送話部１５、受話部１６、記憶部１、音声処理部１８、表示部５、スピーカ２０、非接触ＩＣ部２１、近距離無線通信部２２、操作部２３及び制御部２４を備えている。
【００４２】
無線通信部１１は、図示しないアンテナを備え、このアンテナを介して基地局（無線基地局）７との間で無線により情報の送受信を行う。無線通信部１１は、アンテナにより受信した受信信号を、該受信信号に対して所定の信号処理を行った後で制御部２４に出力する。また、制御部２４から入力される送信情報を、該送信信号に対して所定の信号処理を行った後で、アンテナを介して送信する。無線通信部１１により、音声通信（通話）、電子メールの送受信、及び、インターネット通信（Ｗｅｂ接続）などが可能となっている。
【００４３】
放送受信部１２は、放送局（地上局、衛星など：図示略）から送信される放送信号を受信し、この放送信号を復調することにより、映像信号、音声信号及びその他の情報信号を生成する。そして、このうち画像信号は表示部５に、音声信号はスピーカ２０に、情報信号は制御部２４に、それぞれ出力する。
【００４４】
ＧＰＳ（Ｇｌｏｂａｌ  Ｐｏｓｉｔｉｏｎｉｎｇ  Ｓｙｓｔｅｍ）機能部１３は、ＧＰＳ通信により携帯端末装置１０の現在位置データを受信し、その現在位置データを制御部２４に出力する。
【００４５】
カメラ部１４は、操作部２３に対する操作に応じて被写体の撮像動作を行い、撮像により生成した画像情報及び動画情報を制御部２４に出力する。
【００４６】
送話部（マイク）１５は、通話の際などに音声を検出し、音声信号を生成する。受話部１６は、通話の際などに通話相手より受信した音声信号に基づく音声を出力する。
【００４７】
音声処理部１８は、送話部（マイク）１５より入力された音声信号、並びに、受話部（スピーカ）１６より出力される音声信号の処理を行う。
【００４８】
表示部５は、例えば液晶表示装置からなり、放送受信部１２から入力される画像信号に応じた表示、及び、特定ユーザ向け番組ガイド情報９０の表示を行う他、各種情報の表示を行う。
【００４９】
スピーカ２０は、放送受信部４５から入力される音声信号に応じた音声出力の他、楽曲音、報知音などの音声出力を行う。
【００５０】
非接触ＩＣ部２１は、例えば不揮発性メモリ（図示略）及び無線通信ＩＣ（Ｉｎｔｅｇｒａｔｅｄ  Ｃｉｒｃｕｉｔ）チップにより構成され、ＩＣカードリーダ、或いはＩＣカードリーダ／ライタ（図示略）との間で近距離無線通信による情報の送受信などを行う。この非接触ＩＣ部２１を介した情報の送受信により、電子決済などが可能となっている。
【００５１】
近距離無線通信部２２は、例えば、赤外線通信或いはその他の近距離無線通信を行う。例えば、テレビ５０への特定ユーザ向け番組ガイド情報９０の送信動作は、この近距離無線通信部２２が行う。
【００５２】
操作部２３は、例えば、テンキー、スクロールキー、十字キー、決定キー及びその他の特殊機能キーを備えて構成され、ユーザによる各種の操作入力及び情報入力を受け付け（検出し）、その検出信号を制御部２４に出力する。
【００５３】
記憶部１は、例えば、電話帳情報、携帯端末装置１０が送受信した電子メールの情報、発着呼情報、携帯端末装置１０の移動履歴を示す移動履歴情報（例えば、ＧＰＳ機能部１３により受信した現在位置データ）、携帯端末装置１０でのテレビ番組の視聴履歴を示すテレビ視聴履歴情報、携帯端末装置１０を用いた決済履歴を示す決済履歴情報（例えば、非接触ＩＣ部２１を介した情報の送受信により行った電子決済）、携帯端末装置１０でのＷｅｂ利用履歴を示すＷｅｂ利用履歴情報、携帯端末装置１０に登録されている予定表の情報、日記情報、その他のメモ情報、画像情報、動画情報、アプリケーションプログラム、及び携帯端末装置１０の諸設定情報などが含まれる。記憶部１の記憶内容の一部が、利用履歴情報６０として抽出される。
【００５４】
制御部２４は、無線通信部１１、放送受信部１２、ＧＰＳ機能部１３、カメラ部１４、受話部１６、記憶部１、音声処理部１８、表示部５、スピーカ２０、非接触ＩＣ部２１及び近距離無線通信部２２の動作制御を行う。
【００５５】
制御部２４は、例えば、ＣＰＵと、このＣＰＵの動作用プログラムなどを記憶したＲＯＭと、ＣＰＵの作業領域などとして機能するＲＡＭと、を備えて構成されている。
【００５６】
この制御部２４は、通話機能、メール編集機能、メール送受信機能、インターネット通信機能（Ｗｅｂ接続機能）、カメラ機能、テレビ視聴機能、コンテンツ再生機能、決済機能、予定表機能、日記機能、メモ機能、及び携帯端末装置１０が有するその他の機能を統括的に制御する。
【００５７】
また、制御部２４は、図１の利用履歴情報抽出部２として機能する。すなわち、記憶部１から利用履歴情報６０（図３）を抽出する。また、制御部２４は、無線通信部１１との協働で図１の利用履歴情報送信部３及び特定ユーザ向け番組ガイド情報受信部４としてそれぞれ機能する。更に、制御部２４は、近距離無線通信部２２との協働で図１の特定ユーザ向け番組ガイド情報送信部６として機能する。
【００５８】
次に、図９を参照して、動作を説明する。
【００５９】
先ず、携帯端末装置１０の利用履歴情報抽出部２は、例えば、所定のタイミング（例えば、１日に１回のタイミングなど）が到来すると、記憶部１から利用履歴情報６０を抽出する（ステップＳ１）。
【００６０】
ここで、利用履歴情報６０には、例えば、図３に示すように、携帯端末装置１０が送受信した電子メールの情報、携帯端末装置１０の移動履歴を示す移動履歴情報、携帯端末装置１０でのテレビ番組の視聴履歴を示すテレビ視聴履歴情報、携帯端末装置１０を用いた決済履歴を示す決済履歴情報、携帯端末装置１０でのＷｅｂ利用履歴を示すＷｅｂ利用履歴情報、携帯端末装置１０に登録されている予定表の情報、携帯端末装置１０に記憶されている日記情報、メモ情報、画像情報及び動画情報などが含まれる。
【００６１】
次に、携帯端末装置１０の利用履歴情報送信部３は、先のステップＳ１にて抽出された利用履歴情報６０を特定ユーザ興味対象分析サーバ３０に送信する。なお、この際に、携帯端末装置１０の通信識別情報としてのメールアドレスも併せて送信する。携帯端末装置１０から特定ユーザ興味対象分析サーバ３０への利用履歴情報６０の送信は、例えば、基地局７を介して行われる（ステップＳ２）。
【００６２】
次に、特定ユーザ興味対象分析サーバ３０の利用履歴情報受信部３１は、携帯端末装置１０から送信された利用履歴情報６０及びメールアドレスを受信する（ステップＳ３）。
【００６３】
次に、特定ユーザ興味対象分析サーバ３０の特定ユーザ興味対象分析部３２は、先のステップＳ３にて受信された利用履歴情報６０に基づいて、携帯端末装置１０の利用者の興味の対象を分析し、当該ユーザの興味の対象を示す特定ユーザ興味対象情報６１を生成する（ステップＳ４）。なお、特定ユーザ興味対象分析サーバ３０は、生成した特定ユーザ興味対象情報６１を、携帯端末装置１０の通信識別情報（メールアドレス）と対応付けて記憶する。こうして、特定ユーザ興味対象情報６１は、特定ユーザ興味対象分析サーバ３０に順次に蓄積されていく。なお、特定ユーザ興味対象情報６１だけでなく、利用履歴情報６０についても、携帯端末装置１０の通信識別情報と対応付けて順次に記憶し蓄積しても良い。
【００６４】
特定ユーザ興味対象分析部３２は、例えば、特定のユーザの利用履歴情報６０から、特定のユーザの興味の対象と関連するキーワードである特定ユーザ興味対象キーワードを特定ユーザ興味対象情報６１の少なくとも一部分として抽出する。より具体的には、例えば、特定ユーザ興味対象分析部３２は、利用履歴情報６０に含まれる文字列のうち、照合用キーワードリスト記憶部３３に記憶されている照合用キーワードリスト７０に含まれるキーワード（照合用キーワード）の何れかと適合する文字列を、携帯端末装置１０のユーザの興味の対象と関連するキーワード（以下、特定ユーザ興味対象キーワード）として抽出する。ここで、利用履歴情報６０の文字列と照合用キーワードとの適合とは、例えば、その文字列が、ある照合用キーワードの全体又は一部分と一致することを意味する。或いは、その文字列が、ある照合用キーワードの類義語の全体又は一部分と一致する場合も、適合するものとして判定及び抽出できるような機能を付加しても良い。
【００６５】
以下、特定ユーザ興味対象キーワードの抽出動作について、より具体的に説明する。
【００６６】
図４に示すように、照合用キーワードリスト７０には、例えば、出演者名リスト７１、趣味・嗜好名リスト７２、地名リスト７３、及び、ジャンル名リスト７４が含まれている。出演者名リスト７１は、例えば、過去において何れかの番組に出演経験がある人名（第１出演者名、第２出演者名、第３出演者名、・・・）のリストである。趣味・嗜好名リスト７２は、例えば、ボクシング、サッカー、釣り、ワイン（図示略）、・・・などのような、個人の趣味・嗜好の名称のリストである。地名リスト７３は、例えば、品川、横浜、町田、渋谷、武蔵小杉、・・・といったような、地名のリストである。ジャンル名リスト７４は、バラエティ、スポーツ、教養、・・・といったような、番組のジャンル名のリストである。
【００６７】
例えば、携帯端末装置１０のユーザが、住所は東京都町田市、職場は武蔵小杉であり、終業後は渋谷にある夜間資格学校に通っているとする。また、このユーザが、電子メールに「ボクシング」というキーワードを用いたとする。この場合、利用履歴情報６０の移動履歴情報には「町田」、「武蔵小杉」、「渋谷」という文字列が含まれ、電子メール情報には「ボクシング」という文字列が含まれている。このため、特定ユーザ興味対象分析部３２は、利用履歴情報６０と照合用キーワードリスト７０との照合により、「町田」、「渋谷」、「武蔵小杉」、「ボクシング」という特定ユーザ興味対象キーワードを抽出する。
【００６８】
同様に、利用履歴情報６０にテレビ視聴履歴情報が含まれている場合には、そのテレビ視聴履歴情報に含まれるジャンル名と適合する特定ユーザ興味対象キーワード（例えば、スポーツ番組の視聴履歴がある場合に「スポーツ」とのキーワード）を抽出する。また、利用履歴情報６０に決済履歴情報が含まれている場合には、その決済履歴情報と適合する特定ユーザ興味対象キーワード（例えば、ワイン購入履歴がある場合に「ワイン」とのキーワード）を抽出する。また、利用履歴情報６０にＷｅｂ利用履歴情報が含まれている場合には、そのウェブ利用履歴情報と適合する特定ユーザ興味対象キーワード（例えば、経済ニュースの閲覧履歴がある場合に「経済」とのキーワード）を抽出する。また、利用履歴情報６０に予定表情報が含まれている場合には、その予定表情報と適合する特定ユーザ興味対象キーワード（例えば、映画鑑賞予定が登録されている場合に「映画」とのキーワード）を抽出する。また、利用履歴情報６０に日記情報或いはメモ情報が含まれている場合には、その日記情報と適合する特定ユーザ興味対象キーワード（例えば、英会話スクールでの体験についての日記或いはメモが登録されている場合に「英会話」とのキーワード）を抽出する。また、利用履歴情報６０に画像情報或いは動画情報が含まれている場合には、その画像或いは動画情報と適合する特定ユーザ興味対象キーワード（例えば、画像或いは動画情報のタイトルとして「ＡＡ寺の」との情報が登録されている場合に「寺」とのキーワード）を抽出する。
【００６９】
ここで、たまたま一度訪れた場所の地名、或いは、何気なくメールに用いた文字など、携帯端末装置１０のユーザとの関連性が低い文字列については特定ユーザ興味対象キーワードから除外できるように、利用履歴情報６０内の文字列のうち、照合用キーワードとの適合数或いは適合頻度が所定基準以上の文字列のみを特定ユーザ興味対象キーワードとして抽出するようにしても良い。すなわち、特定ユーザ興味対象分析部３２は、例えば、特定のユーザの興味の対象と関連するキーワードであるとの判定を所定基準以上の回数又は頻度で行ったキーワードのみを、特定のユーザの利用履歴情報６０から特定ユーザ興味対象キーワードとして抽出する。ここで、所定基準以上の頻度とは、所定期間内における回数（例えば、１ヶ月間に５回以上など）を意味する。
【００７０】
更に、特定ユーザ興味対象分析サーバ３０の特定ユーザ興味対象分析部３２は、例えば、図５に示すように、これら抽出した特定ユーザ興味対象キーワード（「町田」、「渋谷」、「武蔵小杉」、「ボクシング」など）を含む特定ユーザ興味対象情報６１を生成する。
【００７１】
次に、特定ユーザ興味対象分析サーバ３０の特定ユーザ興味対象情報送信部３４は、先のステップＳ４にて生成された特定ユーザ興味対象情報６１を特定ユーザ向け番組ガイド情報サーバ４０に送信する（ステップＳ５）。なお、この際に、携帯端末装置１０の通信識別情報としてのメールアドレスを特定ユーザ興味対象情報６１と対応付けて送信する。なお、先のステップＳ４にて、特定ユーザ興味対象分析部３２が、携帯端末装置１０のメールアドレスを含む特定ユーザ興味対象情報６１を生成するようにしても良いのは勿論である。
【００７２】
次に、特定ユーザ向け番組ガイド情報サーバ４０の特定ユーザ興味対象情報受信部４１は、先のステップＳ５にて送信された特定ユーザ興味対象情報６１及び携帯端末装置１０のメールアドレス（或いは、このメールアドレスを含む特定ユーザ興味対象情報６１）を受信する（ステップＳ６）。
【００７３】
次に、特定ユーザ向け番組ガイド情報サーバ４０の特定ユーザ向け番組ガイド情報生成部４３は、以下に説明するようにして、特定ユーザ向け番組ガイド情報９０を生成する（ステップＳ７）。
【００７４】
先ず、特定ユーザ向け番組ガイド情報生成部４３は、特定ユーザ興味対象情報６１と適合する番組情報を、一般ユーザ向け番組ガイド情報８０に含まれる番組情報の中から抽出する。特定ユーザ向け番組ガイド情報生成部４３は、例えば、特定ユーザ興味対象分析部３２により抽出された特定ユーザ興味対象キーワードと適合する番組情報を、一般ユーザ向け番組ガイド情報８０の中から抽出する。
【００７５】
ここで、特定ユーザ興味対象情報６１と番組情報との適合（特定ユーザ興味対象キーワードと番組情報との適合）とは、利用履歴情報６０の文字列と照合用キーワードとの適合（上述）と同様である。すなわち、例えば、特定ユーザ興味対象情報６１に含まれる何れかの特定ユーザ興味対象キーワードと、番組情報に含まれる文字列の何れかと、の互いの全体又は一部分が一致することを意味する。或いは、番組情報に含まれる文字列が、ある特定ユーザ興味対象キーワードの類義語の全体又は一部分と一致する場合も、適合するものとして判定及び抽出できるような機能を付加しても良い。
【００７６】
一般ユーザ向け番組ガイド情報８０には、例えば、図７に示すような第Ｘ番組情報８４、第Ｙ番組情報８５が含まれていたとする。また、特定ユーザ興味対象情報６１には、上述のように、例えば、「町田」、「渋谷」、「武蔵小杉」、「ボクシング」などのキーワードが含まれている。図７に示すように、第Ｘ番組情報８４には、キーワード「武蔵小杉」が含まれているので、特定ユーザ向け番組ガイド情報生成部４３は、第Ｘ番組情報８４を一般ユーザ向け番組ガイド情報８０から抽出する。同様に、第Ｙ番組情報８５には、キーワード「ボクシング」が含まれているので、特定ユーザ向け番組ガイド情報生成部４３は、第Ｙ番組情報８５も一般ユーザ向け番組ガイド情報８０から抽出する。
【００７７】
ここで、照合用キーワードリスト７０には、上述のように、出演者名リスト７１、趣味・嗜好名リスト７２、地名リスト７３、ジャンル名リスト７４が含まれている。このため、特定ユーザ向け番組ガイド情報生成部４３による番組情報の抽出動作は、少なくとも、特定ユーザ興味対象キーワードと、一般ユーザ向け番組ガイド情報８０に含まれる番組情報内の情報のうち、出演者名、趣味又は嗜好の名称、地名、及び番組のジャンル名のうちの少なくとも何れか１つであるキーワードと、を照合することによって、特定ユーザ興味対象キーワードと適合する番組情報を抽出する動作となる。
【００７８】
そして、特定ユーザ向け番組ガイド情報生成部４３は、このように抽出された番組情報を含む特定ユーザ向け番組ガイド情報９０を生成する。すなわち、例えば、図８に示すように、特定ユーザ向け番組ガイド情報９０は、特定ユーザ向け第１番組情報９１として第Ｘ番組情報８４を含み、特定ユーザ向け第２番組情報９２として第Ｙ番組情報８５を含む他、特定ユーザ向け番組ガイド情報生成部４３により抽出されたその他の番組情報を含む。
【００７９】
次に、特定ユーザ向け番組ガイド情報送信部４４は、先のステップＳ７にて生成された特定ユーザ向け番組ガイド情報９０を携帯端末装置１０に送信する（ステップＳ８）。すなわち、先のステップＳ６にて特定ユーザ興味対象分析サーバ３０から受信した携帯端末装置１０のメールアドレス宛に、特定ユーザ向け番組ガイド情報９０を送信する。
【００８０】
次に、携帯端末装置１０の特定ユーザ向け番組ガイド情報受信部４は、先のステップＳ８にて送信された特定ユーザ向け番組ガイド情報９０を受信し、記憶部１に記憶させる（ステップＳ９）。
【００８１】
ここで、携帯端末装置１０では、例えば、制御部２４（図２）の制御下で、特定ユーザ向け番組ガイド情報９０を受信した旨の報知動作を行う。具体的には、例えば、スピーカら２０から報知音を出力したり、表示部５にて報知表示を行ったりする。
【００８２】
その報知に気づいたユーザが操作部２３に対し、特定ユーザ向け番組ガイド情報９０を表示させる操作を入力すると、表示部５は、図８に示す内容の特定ユーザ向け番組ガイド情報９０を表示する。これにより、携帯端末装置１０のユーザは、自身の興味の対象と関連する番組情報の羅列となっている特定ユーザ向け番組ガイド情報９０を参照して、自身が視聴或いは録画予約したい番組を選択することができる。すなわち、自身の興味とは関連がない番組も含む膨大な数の番組情報からなる一般ユーザ向け番組ガイド情報８０から視聴或いは録画予約したい番組を選択する場合よりも、選択を容易に短時間で行うことができる。
【００８３】
また、ユーザが操作部２３に対し、特定ユーザ向け番組ガイド情報９０をテレビ５０に転送させる操作を入力すると、携帯端末装置１０の特定ユーザ向け番組ガイド情報送信部６は、特定ユーザ向け番組ガイド情報９０をテレビ５０に送信（転送）する（ステップＳ１０）。
【００８４】
次に、テレビ５０の特定ユーザ向け番組ガイド情報受信部４８は、先のステップＳ１０にて送信された特定ユーザ向け番組ガイド情報９０を受信する（ステップＳ１１）。
【００８５】
その後、ユーザがテレビ５０に対し、特定ユーザ向け番組ガイド情報９０を表示させる操作を行うと、テレビ５０の表示部４６は、特定ユーザ向け番組ガイド情報９０を表示する。これによりユーザは、自身の興味の対象と合致する番組情報の羅列となっている特定ユーザ向け番組ガイド情報９０を参照して、自身が視聴或いは録画予約したい番組を選択することができる。よって、ユーザは、自身の興味の対象とは合致しない番組情報を含む膨大な数の番組情報の中から視聴或いは録画予約したい番組を選択するよりも、容易且つ短時間に番組を選択することができる。なお、テレビ５０は、一般ユーザ向け番組ガイド情報サーバ２５から、一般ユーザ向け番組ガイド情報８０を受信し、記憶している。このため、ユーザは、一般ユーザ向け番組ガイド情報８０を表示部４６に表示させて、番組を選択することもできる。
【００８６】
ここで、上述した動作のうち、特定ユーザ興味対象情報の送信動作（ステップＳ５）から特定ユーザ向け番組ガイド情報の生成動作（ステップＳ７）までの動作は、説明を簡略化しており、簡単にするため、実際には、例えば、以下に説明するような動作とすることが好ましい。
【００８７】
ステップＳ５では、例えば、先ず、特定のユーザの携帯端末装置１０から過去に受信した利用履歴情報６０に基づいて生成済みの特定ユーザ興味対象情報６１が記憶されているか否かを、当該携帯端末装置１０から受信した当該携帯端末装置１０の通信識別情報（メールアドレス）に基づいて判定する。そして、過去に生成済みの特定ユーザ興味対象情報６１が記憶されている場合には、今回新たに生成した利用履歴情報６０だけでなく、この過去に生成済みの特定ユーザ興味対象情報６１も併せて、特定ユーザ向け番組ガイド情報サーバ４０に送信する。そして、ステップＳ６では、先のステップＳ５にて送信された全ての特定ユーザ興味対象情報６１を受信する。続くステップＳ７では、これら受信した全ての特定ユーザ興味対象情報６１について、それぞれ上述したような番組情報の抽出動作を行い、これら抽出した全ての番組情報を含む特定ユーザ向け番組ガイド情報９０を生成する。
【００８８】
以上のような第１の実施形態によれば、利用履歴情報受信部３１が、特定のユーザの携帯端末装置１０から、当該携帯端末装置１０の利用履歴に関連する利用履歴情報６０を受信し、特定ユーザ興味対象分析部３２がその利用履歴情報６０を分析することにより、ユーザの興味の対象を示す特定ユーザ興味対象情報６１を生成し、特定ユーザ向け番組ガイド情報生成部４３が、その特定ユーザ興味対象情報６１と適合する番組情報を一般ユーザ向け番組ガイド情報記憶部４２に記憶されている一般ユーザ向け番組ガイド情報８０に含まれる番組情報の中から抽出し、抽出した番組情報を含む特定ユーザ向け番組ガイド情報９０を生成するので、ユーザが自身の興味の対象を示す情報の登録操作を行わなくても、当該ユーザの興味の対象と関連する番組情報を含む特定ユーザ向け番組ガイド情報９０を生成することができる。
【００８９】
携帯端末装置１０は、利用履歴情報６０を記憶する記憶部１と、記憶部１から利用履歴情報６０を抽出する利用履歴情報抽出部２と、利用履歴情報抽出部２により抽出された利用履歴情報６０を特定ユーザ興味対象分析サーバ３０に送信する利用履歴情報送信部３と、を備えるので、ユーザは利用履歴情報６０の送信などの特別な操作を行う必要がない。すなわち、ユーザが普通に携帯端末装置１０を利用しているだけで、ユーザの興味の対象と関連する番組情報を含む特定ユーザ向け番組ガイド情報９０が生成される。
【００９０】
また、特定ユーザ向け番組ガイド情報サーバ４０は、特定ユーザ向け番組ガイド情報９０を特定のユーザに提供する提供手段としての特定ユーザ向け番組ガイド情報送信部４４を備え、この特定ユーザ向け番組ガイド情報送信部４４は、特定ユーザ向け番組ガイド情報９０を携帯端末装置１０に送信するので、特定ユーザ向け番組ガイド情報９０が携帯端末装置１０に自動的に送信されるようにできる。すなわち、ユーザが普通に携帯端末装置１０を利用しているだけで、ユーザの携帯端末装置１０に特定ユーザ向け番組ガイド情報９０が送信される。そして、ユーザは、携帯端末装置１０の表示部５に特定ユーザ向け番組ガイド情報９０を表示させて、自身の興味の対象と合致する番組情報の羅列となっている特定ユーザ向け番組ガイド情報９０を参照し、自身が視聴或いは録画予約したい番組を選択することができる。
【００９１】
また、番組を視聴可能な設置型視聴装置としてのテレビ５０を更に備え、携帯端末装置１０は、特定ユーザ向け番組ガイド情報送信部４４から受信した特定ユーザ向け番組ガイド情報９０をテレビ５０に転送するので、ユーザがテレビ５０に特定ユーザ向け番組ガイド情報９０を表示させて、自身の興味の対象と合致する番組情報の羅列となっている特定ユーザ向け番組ガイド情報９０を参照し、自身が視聴或いは録画予約したい番組を選択することができる。
【００９２】
また、特定ユーザ興味対象分析部３２が、特定のユーザの興味の対象と関連するキーワードである特定ユーザ興味対象キーワードを特定ユーザ興味対象情報６１の少なくとも一部分として特定のユーザの利用履歴情報６０から抽出し、特定ユーザ向け番組ガイド情報生成部４３が、特定ユーザ興味対象分析部３２により抽出された特定ユーザ興味対象キーワードと適合する番組情報を一般ユーザ向け番組ガイド情報８０の中から抽出することにより、その抽出した番組情報を含む特定ユーザ向け番組ガイド情報９０を生成することができる。
【００９３】
また、特定ユーザ興味対象キーワードの抽出の際に利用履歴情報６０との照合に用いられる照合用キーワードのリストを記憶している照合用キーワードリスト記憶部３３を備え、特定ユーザ興味対象分析部３２は、利用履歴情報６０から、照合用キーワードリスト記憶部３３に記憶されている照合用キーワードと適合するキーワードを、特定ユーザ興味対象キーワードとして抽出するので、適切なキーワードを特定ユーザ興味対象キーワードとすることができるとともに、特定ユーザ興味対象キーワードの抽出を容易且つ確実に行うことができる。
【００９４】
また、特定ユーザ向け番組ガイド情報生成部４３による番組情報の抽出動作は、少なくとも、特定ユーザ興味対象キーワードと、一般ユーザ向け番組ガイド情報８０に含まれる番組情報内の情報のうち、出演者名（声優名などを含む）、趣味又は嗜好の名称、地名、及び番組のジャンル名のうちの少なくとも何れか１つであるキーワードと、を照合することによって、特定ユーザ興味対象キーワードと適合する番組情報を抽出する動作であるため、より適切なキーワードを特定ユーザ興味対象キーワードとすることができる。
【００９５】
また、特定ユーザ興味対象分析部３２は、特定のユーザの興味の対象と関連するキーワードであるとの判定を所定基準以上の回数又は頻度で行ったキーワードのみを、特定のユーザの利用履歴情報６０から特定ユーザ興味対象キーワードとして抽出するので、そのユーザとの関連性が低いキーワードについては特定ユーザ興味対象キーワードから除外することができる。
【００９６】
〔第２の実施形態〕
【００９７】
図１０は第２の実施形態に係る番組情報処理システム２００の構成を示すブロック図、図１１は第２の実施形態に係る番組情報処理システム２００の動作の流れを示すシーケンス図である。
【００９８】
上記の第１の実施形態では、特定ユーザ向け番組ガイド情報サーバ４０が特定ユーザ向け番組ガイド情報９０を携帯端末装置１０に送信する例を説明したが、本実施形態では、特定ユーザ向け番組ガイド情報サーバ４０は、生成した特定ユーザ向け番組ガイド情報９０を特定ユーザ興味対象分析サーバ３０に転送し、この特定ユーザ興味対象分析サーバ３０が特定ユーザ向け番組ガイド情報９０を携帯端末装置１０に送信する例を説明する。
【００９９】
本実施形態の構成及び動作は以下に説明する点でのみ上記の第１の実施形態と相違し、その他の点は第１の実施形態と同様である。
【０１００】
また、特定ユーザ興味対象分析サーバ３０は、特定ユーザ向け番組ガイド情報サーバ４０から特定ユーザ向け番組ガイド情報９０を受信する特定ユーザ向け番組ガイド情報受信部３５と、特定ユーザ向け番組ガイド情報受信部３５により受信した特定ユーザ向け番組ガイド情報９０を携帯端末装置１０に送信する特定ユーザ向け番組ガイド情報送信部３６と、を備える。
【０１０１】
本実施形態の場合、動作は以下に説明するような動作となる。
【０１０２】
図１１に示す動作のうち、ステップＳ４までは第１の実施形態と同様である。
【０１０３】
ステップＳ４に続くステップＳ５では、第１の実施形態と同様に、先のステップＳ４にて生成された特定ユーザ興味対象情報６１を特定ユーザ向け番組ガイド情報サーバ４０に送信するが、携帯端末装置１０のメールアドレスは特定ユーザ向け番組ガイド情報サーバ４０に送信しない。
【０１０４】
ステップＳ６では、特定ユーザ向け番組ガイド情報サーバ４０の特定ユーザ興味対象情報受信部４１は、特定ユーザ興味対象情報６１を受信する。
【０１０５】
続くステップＳ７では第１の実施形態と同様に特定ユーザ向け番組ガイド情報９０を生成する。
【０１０６】
続くステップＳ８では、特定ユーザ向け番組ガイド情報サーバ４０の特定ユーザ向け番組ガイド情報送信部４４は、特定ユーザ向け番組ガイド情報９０を携帯端末装置１０ではなく、特定ユーザ興味対象分析サーバ３０に送信する。
【０１０７】
次に、特定ユーザ興味対象分析サーバ３０の特定ユーザ向け番組ガイド情報受信部３５は、特定ユーザ向け番組ガイド情報サーバ４０から特定ユーザ向け番組ガイド情報９０を受信する（ステップＳ２１）。
【０１０８】
次に、特定ユーザ興味対象分析サーバ３０の特定ユーザ向け番組ガイド情報送信部３６は、先のステップＳ２１にて受信された特定ユーザ向け番組ガイド情報９０を携帯端末装置１０に送信する（ステップＳ２２）。
【０１０９】
その後のステップＳ９以降の動作は、第１の実施形態と同様である。
【０１１０】
以上のような第２の実施形態によれば、上記の第１の実施形態と同様の効果が得られる。
【０１１１】
また、本実施形態の場合、特定ユーザ向け番組ガイド情報サーバ４０は、生成した特定ユーザ向け番組ガイド情報９０を特定ユーザ興味対象分析サーバ３０に転送し、この特定ユーザ興味対象分析サーバ３０が特定ユーザ向け番組ガイド情報９０を携帯端末装置１０に送信するので、ユーザの携帯端末装置１０の通信識別情報（メールアドレスなど）を特定ユーザ向け番組ガイド情報サーバ４０、ひいては番組ガイド情報配信事業運営会社９に対して秘匿することができる。
【０１１２】
〔第３の実施形態〕
図１２は第３の実施形態に係る番組情報処理サーバ（番組情報処理装置）３００の構成を示すブロック図、図１３は第３の実施形態に係る番組情報処理サーバ３００の動作の流れを示すシーケンス図である。
【０１１３】
上記の第１及び第２の実施形態では、第１及び第２サーバ装置（特定ユーザ興味対象分析サーバ３０及び特定ユーザ向け番組ガイド情報サーバ４０）を備える番組情報処理システム１００、２００を説明したが、本実施形態では、これら第１及び第２サーバ装置の機能を１つの装置に集約した番組情報処理サーバ３００について説明する。
【０１１４】
図１２に示すように、番組情報処理サーバ３００は、利用履歴情報受信部３１と、特定ユーザ興味対象分析部３２と、照合用キーワードリスト記憶部３３と、一般ユーザ向け番組ガイド情報記憶部４２と、特定ユーザ向け番組ガイド情報生成部４３と、特定ユーザ向け番組ガイド情報送信部４４と、を備える。これら利用履歴情報受信部３１、特定ユーザ興味対象分析部３２、照合用キーワードリスト記憶部３３、一般ユーザ向け番組ガイド情報記憶部４２、特定ユーザ向け番組ガイド情報生成部４３及び特定ユーザ向け番組ガイド情報送信部４４の動作は上記の第１の実施形態と同様である。
【０１１５】
なお、番組情報処理サーバ３００は、例えば、ＣＰＵと、このＣＰＵの動作用プログラム（プログラム）などを記憶したＲＯＭと、ＣＰＵの作業領域などとして機能するＲＡＭと、通信機能部と、を備えて構成され、これらにより、利用履歴情報受信部３１、特定ユーザ興味対象分析部３２、照合用キーワードリスト記憶部３３、一般ユーザ向け番組ガイド情報記憶部４２、特定ユーザ向け番組ガイド情報生成部４３、特定ユーザ向け番組ガイド情報送信部４４として機能する。
【０１１６】
次に、図１３を参照して、本実施形態の場合の動作を説明する。
【０１１７】
携帯端末装置１０が行うステップＳ１、Ｓ２の動作は第１の実施形態と同様である。
【０１１８】
続くステップＳ３では、番組情報処理サーバ３００の利用履歴情報受信部３１が、携帯端末装置１０から送信された利用履歴情報６０及びメールアドレスを受信する。
【０１１９】
続くステップＳ４では、番組情報処理サーバ３００の特定ユーザ興味対象分析部３２が、先のステップＳ３にて受信された利用履歴情報６０に基づいて、携帯端末装置１０の利用者の興味の対象を分析し、当該ユーザの興味の対象を示す特定ユーザ興味対象情報６１を生成する。
【０１２０】
続くステップＳ７では、番組情報処理サーバ３００の特定ユーザ向け番組ガイド情報生成部４３は、特定ユーザ向け番組ガイド情報９０を生成する。
【０１２１】
続くステップＳ８では、番組情報処理サーバ３００の特定ユーザ向け番組ガイド情報送信部４４は、先のステップＳ７にて生成された特定ユーザ向け番組ガイド情報９０を携帯端末装置１０に送信する。
【０１２２】
ステップＳ９以降の動作は第１の実施形態と同様である。
【０１２３】
このように、本実施形態の場合、番組情報処理サーバ３００のプログラムは、特定のユーザの携帯端末装置１０から、当該携帯端末装置１０の利用履歴に関連する利用履歴情報６０を受信した場合に、該利用履歴情報６０に基づいて、特定のユーザの興味の対象を分析し、当該ユーザの興味の対象を示す特定ユーザ興味対象情報６１を生成する特定ユーザ興味対象分析処理と、一般ユーザ向け番組ガイド情報記憶部４２に記憶されている一般ユーザ向け番組ガイド情報８０に含まれる番組情報の中から、特定ユーザ興味対象分析処理により生成された特定ユーザ興味対象情報６１と適合する番組情報を抽出し、該抽出した番組情報を含む特定ユーザ向け番組ガイド情報９０を生成する特定ユーザ向け番組ガイド情報生成処理と、をコンピュータ（ＣＰＵ）に実行させる。また、本実施形態に係る番組情報処理方法では、番組情報処理サーバ３００が、特定のユーザの携帯端末装置１０から当該携帯端末装置１０の利用履歴に関連する利用履歴情報６０を受信する利用履歴情報受信工程と、利用履歴情報受信工程により受信した携帯端末装置１０の利用履歴情報６０に基づいて、特定のユーザの興味の対象を分析し、当該ユーザの興味の対象を示す特定ユーザ興味対象情報６１を生成する特定ユーザ興味対象分析工程と、一般ユーザ向け番組ガイド情報記憶部４２に記憶されている一般ユーザ向け番組ガイド情報８０に含まれる番組情報の中から、特定ユーザ興味対象分析工程により生成された特定ユーザ興味対象情報６１と適合する番組情報を抽出し、該抽出した番組情報を含む特定ユーザ向け番組ガイド情報９０を生成する特定ユーザ向け番組ガイド情報生成工程と、を行う。
【０１２４】
以上のような第３の実施形態によれば、特定のユーザの携帯端末装置１０から、当該携帯端末装置１０の利用履歴に関連する利用履歴情報６０を受信する利用履歴情報受信部３１と、利用履歴情報受信部３１により受信した当該携帯端末装置１０の利用履歴情報６０に基づいて、特定のユーザの興味の対象を分析し、当該ユーザの興味の対象を示す特定ユーザ興味対象情報６１を生成する特定ユーザ興味対象分析部３２と、一般ユーザ向け番組ガイド情報８０を記憶している一般ユーザ向け番組ガイド情報記憶部４２と、一般ユーザ向け番組ガイド情報記憶部４２に記憶されている一般ユーザ向け番組ガイド情報８０に含まれる番組情報の中から、特定ユーザ興味対象分析部３２により生成された特定ユーザ興味対象情報６１と適合する番組情報を抽出し、該抽出した番組情報を含む特定ユーザ向け番組ガイド情報９０を生成する特定ユーザ向け番組ガイド情報生成部４３と、を備えるので、ユーザが自身の興味の対象を示す情報の登録操作を行わなくても、当該ユーザの興味の対象と関連する番組情報を含む特定ユーザ向け番組ガイド情報９０を生成することができる。また、その他についても、上記の第１の実施形態と同様の効果が得られる。
【０１２５】
〔第４の実施形態〕
図１４は第４の実施形態に係る番組情報処理システム４００の構成を示すブロック図、図１５は第４の実施形態に係る番組情報処理システム４００の動作の流れを示すシーケンス図である。
【０１２６】
上記の第１の実施形態では、テレビ５０では、携帯端末装置１０から送信された特定ユーザ向け番組ガイド情報９０をそのまま利用する例を説明した。しかし、一般ユーザ向け番組ガイド情報８０及び特定ユーザ向け番組ガイド情報９０は、携帯端末装置用のＥＰＧ（携帯版ＥＰＧ）であり、設置型視聴装置用の一般ユーザ向け番組ガイド情報よりも個々の番組情報の情報量が少なく、情報量が十分でないことがある。
【０１２７】
そこで、本実施形態では、図１４に示すように、テレビ５０は、携帯端末装置１０から受信した特定ユーザ向け番組ガイド情報９０に含まれる番組情報と対応する番組情報を、設置型視聴装置用の一般ユーザ向け番組ガイド情報の中から抽出し、該抽出した番組情報を含む第２特定ユーザ向け番組ガイド情報を生成する第２特定ユーザ向け番組ガイド情報生成部４９を備える。
【０１２８】
本実施形態に係る番組情報処理システム４００は、テレビ５０が第２特定ユーザ向け番組ガイド情報生成部４９を備える点の他は、第１の実施形態に係る番組情報処理システム１００と同様である。なお、図示は省略するが、テレビ５０が第２特定ユーザ向け番組ガイド情報生成部４９を備える点の他は、第２の実施形態に係る番組情報処理システム２００と同様であるように番組情報処理システムを構成しても良い。
【０１２９】
次に、本実施形態の場合の動作について、図１５を参照して説明する。
【０１３０】
本実施形態の場合、ステップＳ１１までの動作は、例えば、第１の実施形態と同様である。なお、図示は省略するが、上記の第２の実施形態と同様であっても良い。
【０１３１】
ステップＳ１１に続くステップＳ１２では、テレビ５０の第２特定ユーザ向け番組ガイド情報生成部４９は、例えば、以下に説明するようにして、第２特定ユーザ向け番組ガイド情報を生成する（ステップＳ１２）。
【０１３２】
ここで、一般ユーザ向け番組ガイド情報サーバ２５は、その一般ユーザ向け番組ガイド情報記憶部２６に記憶している設置型視聴装置用の一般ユーザ向け番組ガイド情報を、予め、テレビ５０に送信し、テレビ５０は、この設置型視聴装置用の一般ユーザ向け番組ガイド情報を受信し、記憶している。ここで、本実施形態の場合、この設置型視聴装置用の一般ユーザ向け番組ガイド情報は、一般ユーザ向け番組ガイド情報８０よりも個々の番組情報の情報量が多い。
【０１３３】
そして、第２特定ユーザ向け番組ガイド情報生成部４９は、この一般ユーザ向け番組ガイド情報の中から、特定ユーザ向け番組ガイド情報９０に含まれる番組情報と対応する（同一の番組に関する番組情報）番組情報を抽出し、該抽出した番組情報を含む第２特定ユーザ向け番組情報を生成する。
【０１３４】
こうして、テレビ５０では、携帯版ＥＰＧよりも情報量が多く、十分な情報量の一般ユーザ向け番組ガイド情報を特定のユーザ向けに編集し直した内容の第２特定ユーザ向け番組ガイド情報を利用できるようになる。すなわち、携帯端末装置１０のユーザがテレビ５０に対し、第２特定ユーザ向け番組ガイド情報を表示させる操作を行うと、テレビ５０の表示部４６は、第２特定ユーザ向け番組ガイド情報を表示する。これによりユーザは、自身の興味の対象と合致する番組情報の羅列となっている特定ユーザ向け番組ガイド情報を参照して、自身が視聴或いは録画予約したい番組を選択することができる。
【０１３５】
以上のような第４の実施形態によれば、一般ユーザ向け番組ガイド情報８０は、設置型視聴装置用の一般ユーザ向け番組ガイド情報よりも個々の番組情報の情報量が少ない携帯端末装置向け番組ガイド情報であり、テレビ５０は、携帯端末装置１０から受信した特定ユーザ向け番組ガイド情報９０に含まれる番組情報と対応する番組情報を、設置型視聴装置用の一般ユーザ向け番組ガイド情報の中から抽出し、該抽出した番組情報を含む第２特定ユーザ向け番組ガイド情報を生成するので、十分な情報量の設置型視聴装置用の一般ユーザ向け番組ガイド情報を特定のユーザ向けに編集し直した内容の第２特定ユーザ向け番組ガイド情報を利用できるようになる。
【０１３６】
なお、上記の各実施形態では、特定ユーザ向け番組ガイド情報送信部４４又は特定ユーザ向け番組ガイド情報送信部３６が特定ユーザ向け番組ガイド情報９０を携帯端末装置１０に送信する例を説明したが、特定ユーザ向け番組ガイド情報９０の送信先は、この例に限らない。例えば、携帯端末装置１０により指定された第１指定端末装置（例えば、ユーザのＰＣ（Ｐｅｒｓｏｎａｌ  Ｃｏｍｐｕｔｅｒ）、或いはテレビ５０など）、或いは、ユーザにより予め指定された第２指定端末装置（例えば、ユーザのＰＣ（Ｐｅｒｓｏｎａｌ  Ｃｏｍｐｕｔｅｒ）、或いはテレビ５０など）に送信するようにしても良い。
【０１３７】
また、上記においては、特定ユーザ向け番組ガイド情報９０を特定のユーザに提供する提供手段として、特定ユーザ向け番組ガイド情報送信部４４又は特定ユーザ向け番組ガイド情報送信部３６を例示したが、提供手段は、この例に限らない。例えば、特定ユーザ向け番組ガイド情報９０を、特定ユーザに送付される記憶媒体（ＣＤ−ＲＯＭなど）に記憶させる特定ユーザ向け番組ガイド情報記憶部（特定ユーザ向け番組ガイド情報記憶手段）を備えるようにしても良いし、特定ユーザ向け番組ガイド情報を、特定ユーザに送付される紙などの媒体に印刷出力する特定ユーザ向け番組ガイド情報出力部（特定ユーザ向け番組ガイド情報出力手段）を備えるようにしても良い。
【０１３８】
更に、上記において、利用履歴情報６０、或いは、特定ユーザ興味対象情報６１には、有効期限を設けても良い。すなわち、特定ユーザ興味対象情報送信部３４は、過去所定時間内に携帯端末装置１０から送信された（受信した）利用履歴情報６０に基づいて生成した特定ユーザ興味対象情報６１のみを特定ユーザ向け番組ガイド情報サーバ４０に送信するようにしても良い。或いは、特定ユーザ向け番組ガイド情報生成部４３は、過去所定時間内に携帯端末装置１０から送信された利用履歴情報６０に基づいて生成された特定ユーザ興味対象情報６１のみを用いて、特定ユーザ向け番組ガイド情報９０を生成するようにしても良い。利用履歴情報６０或いは特定ユーザ興味対象情報６１に、生成した日時を示す情報を付しておくことにより、これらの動作を実現することができる。このような動作により、利用履歴情報６０、或いは、特定ユーザ興味対象情報６１を、常に最新の情報に更新することができる。よって、ユーザの興味の対象が時間経過とともに変化する場合にも、常に、ユーザの最新の興味の対象と合致する番組情報を含む特定ユーザ向け番組ガイド情報９０を生成でき、この特定ユーザ向け番組ガイド情報９０をユーザに提供することができる。
【符号の説明】
【０１３９】
１ 記憶部（記憶手段）
２ 利用履歴情報抽出部（利用履歴情報抽出手段）
３ 利用履歴情報送信部（利用履歴情報送信手段）
４ 特定ユーザ向け番組ガイド情報受信部（特定ユーザ向け番組ガイド情報受信手段）
５ 表示部
６ 特定ユーザ向け番組ガイド情報送信部（特定ユーザ向け番組ガイド情報送信手段）
７ 基地局
８ 通信事業者制御局
９ 番組ガイド情報配信事業運営会社
１０ 携帯端末装置（携帯端末）
１１ 無線通信部
１２ 放送受信部
１３ ＧＰＳ機能部
１４ カメラ部
１５ 送話部
１６ 受話部
１８ 音声処理部
２０ スピーカ
２１ 非接触ＩＣ部
２２ 近距離無線通信部
２３ 操作部
２４ 制御部
２５ 一般ユーザ向け番組ガイド情報サーバ
２６ 一般ユーザ向け番組ガイド情報記憶部
２７ 一般ユーザ向け番組ガイド情報送信部
２９ スピーカ
３０ 特定ユーザ興味対象分析サーバ（第１サーバ装置）
３１ 利用履歴情報受信部（利用履歴情報受信手段）
３２ 特定ユーザ興味対象分析部（特定ユーザ興味対象分析手段）
３３ 照合用キーワードリスト記憶部（照合用キーワードリスト記憶手段）
３４ 特定ユーザ興味対象情報送信部（特定ユーザ興味対象情報送信手段）
３５ 特定ユーザ向け番組ガイド情報受信部（特定ユーザ向け番組ガイド情報受信手段）
３６ 特定ユーザ向け番組ガイド情報送信部（特定ユーザ向け番組ガイド情報送信手段）
４０ 特定ユーザ向け番組ガイド情報サーバ（第２サーバ装置）
４１ 特定ユーザ興味対象情報受信部（特定ユーザ興味対象情報受信手段）
４２ 一般ユーザ向け番組ガイド情報記憶部（番組ガイド情報記憶手段）
４３ 特定ユーザ向け番組ガイド情報生成部（特定ユーザ向け番組ガイド情報生成手段）
４４ 特定ユーザ向け番組ガイド情報送信部（特定ユーザ向け番組ガイド情報送信手段）
４５ 放送受信部
４６ 表示部
４７ 一般ユーザ向け番組ガイド情報受信部（一般ユーザ向け番組ガイド情報受信手段）
４８ 特定ユーザ向け番組ガイド情報受信部（特定ユーザ向け番組ガイド情報受信手段）
４９ 第２特定ユーザ向け番組ガイド情報生成部（第２特定ユーザ向け番組ガイド情報生成手段）
５０ テレビ（設置型視聴装置）
６０ 利用履歴情報
６１ 特定ユーザ興味対象情報
７０ 照合用キーワードリスト
７１ 出演者名リスト
７２ 趣味・嗜好名リスト
７３ 地名リスト
７４ ジャンル名リスト
８０ 一般ユーザ向け番組ガイド情報（番組ガイド情報）
８１ 第１番組情報（番組情報）
８２ 第２番組情報（番組情報）
８４ 第Ｘ番組情報（番組情報）
８５ 第Ｙ番組情報（番組情報）
９０ 特定ユーザ向け番組ガイド情報
９１ 特定ユーザ向け第１番組情報
９２ 特定ユーザ向け第２番組情報
１００ 番組情報処理システム
２００ 番組情報処理システム
３００ 番組情報処理サーバ（番組情報処理装置）
４００ 番組情報処理システム
【図１】
2010206534.tif 000003
【図２】
2010206534.tif 000004
【図３】
2010206534.tif 000005
【図４】
2010206534.tif 000006
【図５】
2010206534.tif 000007
【図６】
2010206534.tif 000008
【図７】
2010206534.tif 000009
【図８】
2010206534.tif 000010
【図９】
2010206534.tif 000011
【図１０】
2010206534.tif 000012
【図１１】
2010206534.tif 000013
【図１２】
2010206534.tif 000014
【図１３】
2010206534.tif 000015
【図１４】
2010206534.tif 000016
【図１５】
2010206534.tif 000017